(57)【要約】      （修正有）【課題】予備の巻紙をストックする機能と、ワンハンドでセット出来る機能と一体化したトイレの巻紙ホルダーを提供する。【解決の手段】上部を側面から見て小さなＴ型にして、下方は半円形に曲げ巻紙１０の受け皿１３にする。その両端に巻紙が食み出さない様に薄い板のストッパー１４を付ける。而して先端を本体の巻紙１０の裏より隙間へ差し入れて上に出し、布カバー留め１５の溝を先端に差込み落下を止め、受皿１３に巻紙１０を載せて本セットが終わる。尚、本体の巻紙が無くなった時に受皿１３を手で下より押し上げるとストッパー１４の角が軸２に当たるため巻紙１０が行き過ぎる事がなく同時に筒９の空間にはまり穏やかにセットが完了する。【選択図】図２４
0003170148.tif 000002
【実用新案登録請求の範囲】
【請求項１】
本考案の形態（図２５）
【請求項２】
本考案の（１２）
【請求項３】
本考案の（１５）
【請求項４】
本考案の（１４）
【考案の詳細な説明】
【技術分野】
【０００１】  本考案は、市販されているトイレの巻紙セット器の本体に、本製品をセットして予備の巻紙を受け皿に常備する。セット器の巻紙が無くなった時は、受け皿の底を手で押し上げると、予備の巻紙が簡単にセット出来て、手を離すと元の常態に戻るものある。
【背景技術】
【０００２】  従来はトイレの巻紙セット器に布を輪にして吊るし、その布の中に予備の巻紙をストックした物であった。故にセット器の巻紙を使い切った時は、巻紙の取り替えに手間がかかり、子供や老人では巻紙の出し入れが不便であった。
【先行技術文献】
【特許文献】
【０００３】
【特許文献１】  公開実用  昭和５４−７７２４１号
【考案の概要】
【考案が解決しようとする課題】
【０００４】特許文献１のセット器の巻紙が無くなると、人は結構あわてて精神的に負担が掛かり、巻紙をセットするのに押し上げ過ぎる事がある、特に子供などは乱暴にあつかう故に、押し上げ過ぎて巻紙を保持する突起が巻紙に食い込み下げる事が出来ず、再度やり直す手間が掛かります、市販のセット器も同じ事です。特許文献１の巻紙の受け皿を冷静に押し上げても巻紙の筒が固定されず、筒が転がり落ちてしまい、それを拾う手間が掛かる。故に予備の巻紙をストックする機能とワンハンドでセット出来る機能とセットした時に巻紙の筒が転がり落ちない様に一体化する事により前述の欠点を解決しようとするものである。
【課題を解決するための手段】
【０００５】本考案は、樹脂製の素材をＪ型に象り、上部を側面から見てＴ型にし、そのＴ型に布カバー留めを差し込み本製品の落下を止め、下部は半円形に曲げて巻紙の受け皿にして、その両端に巻紙を固定するために薄い板を付け、この固定する板は手で下部の受け皿を押し上げた時に、巻紙が行き過ぎて、本体の巻紙を保持する突起が巻紙に食い込む事を止める役目を果たしている。
【考案の効果】
【０００６】  本考案は、受け皿の両端に巻紙を固定する薄い板を付ける、その受け皿を下より押し上げると板の角が紙切りカバーの軸に当たり、ストッパーの役目をなし巻紙がセットされ、同時に紙切りカバーの重みで巻紙の筒が飛び出す事がない。故に巻紙の受け皿を押し上げ過ぎる事がなく、巻紙を保持する突起が巻紙に食い込む事もない。更に本考案は、複雑な構造を持った作りではなく、シンプルな製品である為めコストも掛からず経済的であり、また本考案はフリーサイズである故、市販されている全ての会社の製品（トイレの巻紙セット器）に使用する事が出来る大きな効果がある。
【考案を実施するための最良の形態】
【０００７】本考案は、巻紙セット器の本体にセットされている巻紙の下の後側より差し入れるため、先端を小さなＴの字形にして、その先端を巻紙の下より紙切りカバーの隙間へ差し入れて上方へ出す、本製品が落下をしない様に溝を掘った布カバー留めを作り、その布カバー留めの溝をＴの字形の先端に差込み滑らせて固定する。予備の巻紙を置くにはＴの字形の下を適量の長さで半円形を作り、その両端を巻紙が食み出ない様に薄い板を付ける。
【実施例】
【０００８】  本考案を図面に従って実施例を説明する。巻紙セット器の本体図６の１０の裏より図８の１２を１１に差し入れ図１３の如くにして、図１３の１２に図９の１５の１６を１２に、図１４の様に差込み、手を離すと図１５の如くなる、図１６の１３に１０を載せると図１７の如くなる、図１８は本体の巻紙が無くなつた図、次に図１８の１３を手で下より押し上げると図１９の如く１０が７を押し上げ同時に９も押し上がり１の内側に９が巻き込まれる、その時１４が２に当たると６の力で７が下り図２１の９の空間に７が入る、巻紙をセットして手を離して、図２２の９を取り図２３の１３に９を載せる、図２４は１０を１３に載せ１５に１７を挟んだ図。
【図面の簡単な説明】
【０００９】
【図１】本体の巻紙のセット器を壁に付け、紙切りカバーを上に開いた正面図。
【図２】図１の紙切りカバーを下げた本体の正面図。
【図３】巻紙をセット中に巻紙を保持する突起が上がった状態の本体の正面図。
【図４】巻紙を保持する突起が下がり巻紙がセットされた本体の正面図。
【図５】図４の上部から見た本体の正面図。
【図６】巻紙がセトされている、全体の斜面図。
【図７】本考案の実施例を示す側面図。
【図８】図７の実施例を示す斜面図。
【図９】布カバー留めの斜面図。
【図１０】布カバー留めの側面図。
【図１１】布カバー留めの正面図。
【図１２】本体に本考案の先端を中間まで差し込んだ正面図。
【図１３】図１２の斜面図。
【図１４】本考案の先端を中間まで差し込んで、布カバー留めを差し込んだ正面図。
【図１５】布カバー留めを全部差し込んで、手を放し時に本考案が落下した正面図。
【図１６】図１５の斜面図。
【図１７】図１６の受け皿に予備の巻紙を入れた斜面図。
【図１８】図１７の上にセットされている巻紙を使い切った斜面図。
【図１９】巻紙をセット中に巻紙を保持する突起が上がった状態の正面図。
【図２０】図１９の斜面図。
【図２１】図２０のセットした後に実施をしている製品が下がった正面図。
【図２２】図２１の斜面図。
【図２３】図２２のセットされた巻紙の上に残った筒を受け皿に載せた斜面図。
【図２４】図２３の受け皿の筒を取り除き、その受け皿に予備の巻紙を入れ、メモ用紙を挟んだ斜面図。
【図２５】本考案の全体の斜面図。
【符号の説明】
【００１０】  １    紙切りカバー
２    紙切りカバーの軸
３    巻紙を止める本体
４    巻紙セット器の本体を壁に止めるビス
５    巻紙を保持する突起が上下する空間部
６    巻紙を保持する突起が上がった時に下げるバネ
７    巻紙を保持する突起
８    本体の壁側
９    巻紙の筒
１０  巻紙
１１  本体と紙切りカバーの隙間
１２  本考案のＴの字形の先端
１３  本考案の巻紙を受ける皿
１４  本考案の巻紙の食み出し及び上げ過ぎのストッパー
１５  布カバー留め
１６  Ｔの字形をはめ込む溝
１７  メモ用紙
【図１】
0003170148.tif 000003
【図２】
0003170148.tif 000004
【図３】
0003170148.tif 000005
【図４】
0003170148.tif 000006
【図５】
0003170148.tif 000007
【図６】
0003170148.tif 000008
【図７】
0003170148.tif 000009
【図８】
0003170148.tif 000010
【図９】
0003170148.tif 000011
【図１０】
0003170148.tif 000012
【図１１】
0003170148.tif 000013
【図１２】
0003170148.tif 000014
【図１３】
0003170148.tif 000015
【図１４】
0003170148.tif 000016
【図１５】
0003170148.tif 000017
【図１６】
0003170148.tif 000018
【図１７】
0003170148.tif 000019
【図１８】
0003170148.tif 000020
【図１９】
0003170148.tif 000021
【図２０】
0003170148.tif 000022
【図２１】
0003170148.tif 000023
【図２２】
0003170148.tif 000024
【図２３】
0003170148.tif 000025
【図２４】
0003170148.tif 000026
【図２５】
0003170148.tif 000027
【手続補正書】
【提出日】平成23年3月7日(2011.3.7)
【手続補正１】
【補正対象書類名】実用新案登録請求の範囲
【補正対象項目名】全文
【補正方法】変更
【補正の内容】
【実用新案登録請求の範囲】
【請求項１】
本考案は、樹脂製の板を側面より見てＪ型に象り上部をＴ型にして其のＴ型に布カバー留め１５を差込み本製品の落下を止める図１６下部はＪ型のように半円形に曲げて巻紙の受け皿にする１３其の両横に巻紙の食み出しを防ぐ為半円形の薄い板を付ける１４此の板は水平の中央の所を巻紙の筒の半径分を切り取った形であり１４更に板１４がないと受け皿を押し上げた時に巻紙が行き過ぎて本体の巻紙を保持する突起７が巻紙に食い込む、其の様な事態を止める役目を果たす為Ｊ型の両横に板を付ける形態を特徴とする。
【請求項２】
本考案のＪ型の上部１２は市販されている巻紙セット器図６の隙間１１に下より差し入れる事が出来るフリーサイズが特徴とする。
【請求項３】
本考案のＪ型の上部１２を巻紙セット器図６の隙間１１に下より差し入れ落下防止の為に布カバー留め１５を差し込む同時にアクセサリーとして布カバーを留める事が出来又子供との通信用にメモを挟みコミュニケーションを図る事が目的とする。
【請求項４】
本考案のＪ型の下部を半円形に曲げ巻紙の受け皿にする１３其の両横に巻紙の食み出しを防ぐ為半円形の薄い板の水平の中央の所を巻紙の筒の半径分を切り取り１４其の板を受け皿の両横に付ける１４受け皿を下より押し上げると板の角１４が紙切りカバーの軸２に当たりストッパーの役目をして巻紙がセットされ同時に紙切りカバー１が上がり其の紙切りカバーの重みで巻紙の筒が飛び出す事がない図２０又巻紙の受け皿を押し上げ過ぎる事がない為巻紙を保持する突起７が巻紙１０に食い込むことがない本考案の半円形の板１４は色々な役目をする所が特徴です。
【手続補正書】
【提出日】平成23年5月19日(2011.5.19)
【手続補正１】
【補正対象書類名】実用新案登録請求の範囲
【補正対象項目名】全文
【補正方法】変更
【補正の内容】
【実用新案登録請求の範囲】
【請求項１】
樹脂製の板を側面より見てＪ型に象り、その下部の半円形の所を巻紙の受け皿にし、その両横に巻紙の食み出しを防ぐため半円形の薄い板を取り付けて上部をＴ型にし、其のＴ型の先端を市販されている巻紙のセット器の紙切りカバーの後ろの隙間へ下より差し入れ、布カバー留めを差込み、巻紙セット器からの落下を防ぐ、其の全体の所を特徴とするトイレット巻紙ホルダー。
【請求項２】
半円形の薄い板の水平の中央の所を、巻紙の筒の半径分を切り取り、受け皿を下より押し上げると板の角が紙切りカバーの軸に当たってストッパーの役目をはたし、巻紙の受け皿を押し上げ過ぎる事がなく速やかに巻紙がセットされ、紙切りカバーも上がり過ぎず巻紙の筒も飛び出す事がない、同時に巻紙を保持する突起が巻紙に食い込む事がない所を特徴とする請求項１記載のトイレット巻紙ホルダー。
【請求項３】
総ての巻紙セット器に使用する事が出来る、フリーサイズが特徴とする請求項１記載のトイレット巻紙ホルダー。
【手続補正２】
【補正対象書類名】明細書
【補正対象項目名】全文
【補正方法】変更
【補正の内容】
【考案の詳細な説明】
【技術分野】
【０００１】  本考案は、市販されているトイレの巻紙セット器の本体に、本製品をセットして予備の巻紙を受け皿に常備する。セット器の巻紙が無くなった時は、受け皿の底を手で押し上げると、予備の巻紙が簡単にセット出来て、手を離すと元の常態に戻るものある。
【背景技術】
【０００２】  従来はトイレの巻紙セット器に布を輪にして吊るし、その布の中に予備の巻紙をストックした物であった。故にセット器の巻紙を使い切った時は、巻紙の取り替えに手間がかかり、子供や老人では巻紙の出し入れが不便であった。
【先行技術文献】
【特許文献】
【０００３】
【特許文献１】公開実用  昭和５４−７７２４１号
【考案の概要】
【考案が解決しようとする課題】
【０００４】特許文献１のセット器の巻紙が無くなると、人は結構あわてて精神的に負担が掛かり、巻紙をセットするのに押し上げ過ぎる事がある、特に子供などは乱暴にあつかう故に、押し上げ過ぎて巻紙を保持する突起が巻紙に食い込み下げる事が出来ず、再度やり直す手間が掛かります、市販のセット器も同じ事です。特許文献１の巻紙の受け皿を冷静に押し上げても巻紙の筒が固定されず、筒が転がり落ちてしまい、それを拾う手間が掛かる。故に予備の巻紙をストックする機能とワンハンドでセット出来る機能とセットした時に巻紙の筒が転がり落ちない様に一体化する事により前述の欠点を解決しようとするものである。
【課題を解決するための手段】
【０００５】本考案は、樹脂製の素材をＪ型に象り、上部を側面から見てＴ型にし、そのＴ型に布カバー留めを差し込み本製品の落下を止め、下部は半円形に曲げて巻紙の受け皿にして、その両端に巻紙を固定するために薄い板を付け、この固定する板は手で下部の受け皿を押し上げた時に、巻紙が行き過ぎて、本体の巻紙を保持する突起が巻紙に食い込む事を止める役目を果たしている。
【考案の効果】
【０００６】  本考案は、受け皿の両端に巻紙を固定する薄い板を付ける、その受け皿を下より押し上げると板の角が紙切りカバーの軸に当たり、ストッパーの役目をなし巻紙がセットされ、同時に紙切りカバーの重みで巻紙の筒が飛び出す事がない。故に巻紙の受け皿を押し上げ過ぎる事がなく、巻紙を保持する突起が巻紙に食い込む事もない。更に本考案は、複雑な構造を持った作りではなく、シンプルな製品である為めコストも掛からず経済的であり、また本考案はフリーサイズである故、市販されている全ての会社の製品（トイレの巻紙セット器）に使用する事が出来る大きな効果がある。
【考案を実施するための最良の形態】
【０００７】本考案は、巻紙セット器の本体にセットされている巻紙の下の後側より差し入れるため、先端を小さなＴの字形にして、その先端を巻紙の下より紙切りカバーの隙間へ差し入れて上方へ出す、本製品が落下をしない様に溝を掘った布カバー留めを作り、その布カバー留めの溝をＴの字形の先端に差込み滑らせて固定する。予備の巻紙を置くにはＴの字形の下を適量の長さで半円形を作り、その両端を巻紙が食み出ない様に薄い板を付ける。
【実施例】
【０００８】  本考案を図面に従って実施例を説明する。巻紙セット器の本体図６の１０の裏より図８の１２を１１に差し入れ図１３の如くにして、図１３の１２に図９の１５の１６を１２に、図１４の様に差込み、手を離すと図１５の如くなる、図１６の１３に１０を載せると図１７の如くなる、図１８は本体の巻紙が無くなつた図、次に図１８の１３を手で下より押し上げると図１９の如く１０が７を押し上げ同時に９も押し上がり１の内側に９が巻き込まれる、その時１４が２に当たると６の力で７が下り図２１の９の空間に７が入る、巻紙をセットして手を離して、図２２の９を取り図２３の１３に９を載せる、図２４は１０を１３に載せ１５に１７を挟んだ図。
【図面の簡単な説明】
【０００９】
【図１】本体の巻紙のセット器を壁に付け、紙切りカバーを上に開いた正面図。
【図２】図  １の紙切りカバーを下げた本体の正面図。
【図３】巻紙をセット中に巻紙を保持する突起が上がった状態の本体の正面図。
【図４】巻紙を保持する突起が下がり巻紙がセットされた本体の正面図。
【図５】図  ４の上部から見た本体の正面図。
【図６】巻紙がセトされている、全体の斜面図。
【図７】本考案の実施例を示す側面図。
【図８】図  ７の実施例を示す斜面図。
【図９】布カバー留めの斜面図。
【図１０】布カバー留めの側面図。
【図１１】布カバー留めの正面図。
【図１２】本体に本考案の先端を中間まで差し込んだ正面図。
【図１３】図１２の斜面図。
【図１４】本考案の先端を中間まで差し込んで、布カバー留めを差し込んだ正面図。
【図１５】布カバー留めを全部差し込んで、手を放し時に本考案が落下した正面図。
【図１６】図１５の斜面図。
【図１７】図１６の受け皿に予備の巻紙を入れた斜面図。
【図１８】図１７の上にセットされている巻紙を使い切った斜面図。
【図１９】巻紙をセット中に巻紙を保持する突起が上がった状態の正面図。
【図２０】図１９の斜面図。
【図２１】図２０のセットした後に実施をしている製品が下がった正面図。
【図２２】図２１の斜面図。
【図２３】図２２のセットされた巻紙の上に残った筒を受け皿に載せた斜面図。
【図２４】図２３の受け皿の筒を取り除き、その受け皿に予備の巻紙を入れ、メモ用紙を挟んだ斜面図。
【図２５】本考案の全体の斜面図。
【符号の説明】
【００１０】  １    紙切りカバー  ２    紙切りカバーの軸  ３    巻紙を止める本体  ４    巻紙セット器の本体を壁に止めるビス  ５    巻紙を保持する突起が上下する空間部  ６    巻紙を保持する突起が上がった時に下げるバネ  ７    巻紙を保持する突起  ８    本体の壁側  ９    巻紙の筒  １０  巻紙  １１  本体と紙切りカバーの隙間  １２  本考案のＴの字形の先端  １３  本考案の巻紙を受ける皿  １４  本考案の巻紙の食み出し及び上げ過ぎのストッパー  １５  布カバー留め  １６  Ｔの字形をはめ込む溝  １７  メモ用紙